(57)【要約】      （修正有）【課題】救助が必要とされる複数の救助対象者に対して短時間で救助の優先順位を決定する対象者端末、優先順位決定端末、優先順位決定方法及び優先順位決定用プログラムを提供する。【解決手段】救助計画提示システム１のレスキュー端末２０は、対象者の身体が危険な状態にある度合いである危険度を表す危険度情報のうちの最新の危険度情報に基づいて、複数の対象者のうち各対象者に向かう優先順を決定する救助優先順決定部２２を備える。救助対象者端末１０ａは、対象者の体温を表す体温情報、及び対象者の心電波形を表す心電波形情報を含む生体情報に基づいて、救助対象者の身体が危険な状態にある度合いを示す危険度を算出する危険度算出部１４と、対象者の位置情報を含む対象者情報と対象者の生体情報が取得された時刻を関連付けて蓄積するデータ蓄積部１７と、危険度を表す危険度情報と対象者情報とを、端末に送信する救助対象者情報送信部１８とを備える。【選択図】図２
2018129075.tif 000002
【特許請求の範囲】
【請求項１】
対象者の身体が危険な状態にある度合いである危険度を表す危険度情報のうちの最新の危険度情報に基づいて、複数の対象者のうち各対象者に向かう優先順を決定する優先順決定部
を備えることを特徴とする優先順決定端末。
【請求項２】
請求項１に記載の優先順決定端末において、
前記優先順決定部は、前記対象者の対象者端末の位置と前記優先順決定端末の位置との間の距離に基づいて前記優先順を決定することを特徴とする優先順決定端末。
【請求項３】
請求項１又は２に記載の優先順決定端末において、
前記危険度は、前記対象者の体温及び心電波形に基づく値であることを特徴とする優先順決定端末。
【請求項４】
請求項１から３のいずれか一項に記載の優先順決定端末において、
少なくとも前記対象者の優先順を表す優先順情報と、前記対象者の対象者端末の位置を表す位置情報とを関連付けて提示する情報提示部を
さらに備えることを特徴とする優先順決定端末。
【請求項５】
請求項４に記載の優先順決定端末において、
前記情報提示部は、前記優先順決定端末の位置を含む地図に、前記位置情報として、前記優先順決定端末の位置に対する、前記対象者端末の相対的な位置を提示することを特徴とする優先順決定端末。
【請求項６】
請求項１から５のいずれか一項に記載の優先順決定端末において、
前記対象者に関する情報を前記対象者の対象者端末に要求する対象者情報要求部
をさらに備えることを特徴とする優先順決定端末。
【請求項７】
対象者の体温を表す体温情報、及び前記対象者の心電波形を表す心電波形情報を含む生体情報に基づいて、前記対象者の身体が危険な状態にある度合いである危険度を算出する危険度算出部と、
前記対象者の位置情報を含む対象者情報と前記対象者の前記生体情報とが取得された時刻を関連付けて蓄積するデータ蓄積部と、
前記危険度を表す危険度情報と前記対象者情報とを、前記データ蓄積部に蓄積された時刻が新しい情報を優先して優先順決定端末に送信する対象者情報送信部と、
を備えることを特徴とする対象者端末。
【請求項８】
請求項７に記載の救助対象者端末において、
前記対象者情報送信部は、前記優先順決定端末からの送信要求に基づいて前記対象者情報を送信することを特徴とする対象者端末。
【請求項９】
優先順決定端末によって、対象者の身体が危険な状態にある度合いである危険度を表す危険度情報のうちの最新の危険度情報に基づいて、複数の対象者のうち各対象者に向かう優先順を決定する優先順決定ステップ
を含むことを特徴とする優先順決定方法。
【請求項１０】
対象者の身体が危険な状態にある度合いである危険度を表す危険度情報のうちの最新の危険度情報に基づいて、複数の対象者のうち各対象者に向かう優先順を決定する優先順決定ステップ
を優先順決定端末に実行させるための優先順決定用プログラム。
【発明の詳細な説明】
【技術分野】
【０００１】
本発明は、対象者端末、優先順決定端末、優先順決定方法、及び優先順決定用プログラムに関する。
【背景技術】
【０００２】
従来、災害等において多数の救助対象者が出た場合、医療従事者は救助対象者の重傷度を判断して医療処置を行う優先度を決定するトリアージを最初に行っている。同様に、レスキュー隊員等が、救出途中の救助対象者に対して救助対象者の重傷度に応じて、救助の優先順を決定することは災害時において重要である。
【０００３】
従来の災害時における救助対象者を検出する技術は、例えば、特許文献１に記載されている。この文献に記載の技術は、自然現象の災害予告を受信した際に、それより以前に行われた通信履歴を用いて最も遅くまで救助対象者が家屋にいた時刻を通知するものである。
【先行技術文献】
【特許文献】
【０００４】
【特許文献１】特開２０１３−２５１６０６号公報
【発明の概要】
【発明が解決しようとする課題】
【０００５】
しかし、特許文献１に記載の技術では、救助対象者の現状を把握し、救助の優先順を提示することまでは考慮されていない。このように、従来技術では、災害予告を受信した際に救助対象者が家屋にいたおおよその時刻を把握可能であるが、救助対象者の現状を把握し救助の優先順を提示することまでは考慮されていないといった欠点を有していた。医療従事者でないレスキュー隊員等が救出途中の救助対象者に対して短時間で救助の優先順を決定する事は困難である。また、生き埋めになった救助対象者等、目視や触診できない状況にいる複数の救助対象者に関しても救助の優先順を決めることは困難であるという課題があった。
【０００６】
したがって、かかる点に鑑みてなされた本発明の目的は、救助が必要とされる複数の救助対象者に対して短時間で救助の優先順を決定することを可能とする対象者端末、優先順決定端末、優先順決定方法、及び優先順決定を提供することにある。
【課題を解決するための手段】
【０００７】
上記の課題を解決するため、本発明に係る優先順決定端末は、対象者の身体が危険な状態にある度合いである危険度を表す危険度情報のうちの最新の危険度情報に基づいて、複数の対象者のうち各対象者に向かう優先順を決定する優先順決定部を備えることを特徴とする。
【０００８】
また、本発明に係る対象者端末は、対象者の体温を表す体温情報、及び前記対象者の心電波形を表す心電波形情報を含む生体情報に基づいて、前記救助対象者の身体が危険な状態にある度合いを示す危険度を算出する危険度算出部と、前記対象者の位置情報を含む対象者情報と前記対象者の前記生体情報が取得された時刻を関連付けて蓄積するデータ蓄積部と、前記危険度を表す危険度情報と前記対象者情報とを、前記データ蓄積部に蓄積された時刻が新しい情報を優先して端末に送信する対象者情報送信部とを備えることを特徴とする。
【０００９】
また、本発明に係る優先順決定方法は、端末が、対象者の身体が危険な状態にある度合いである危険度を表す危険度情報のうちの最新の危険度情報に基づいて、複数の救助対象者のうち各救助対象者に向かう優先順を決定する優先順決定ステップを含む。
【００１０】
また、本発明に係る優先順決定用プログラムは、対象者の身体が危険な状態にある度合いである危険度を表す危険度情報のうちの最新の危険度情報に基づいて、複数の救助対象者のうち各対象者に向かう優先順を決定する優先順決定ステップを優先順決定端末に実行させる。
【発明の効果】
【００１１】
本発明によれば、救助が必要とされる複数の救助対象者に対して短時間で救助の優先順を決定することが可能となる。
【図面の簡単な説明】
【００１２】
【図１】本発明の実施形態に係る救助計画提示システムの全体構成図である。
【図２】本発明の実施形態に係る救助計画提示システムの機能構成図である。
【図３】図２に示す情報提示部が提示する画面の一例である。
【図４】図１に示すレスキュー端末の処理フロー図である。
【図５】図１に示す救助対象者端末の処理フロー図である。
【発明を実施するための形態】
【００１３】
以下、本発明の実施形態について図面を参照して説明する。
【００１４】
＜＜救助計画提示システムの全体構成＞＞
まず、図１を参照して本発明の実施形態に係る救助計画提示システム１の全体構成について説明する。
【００１５】
図１に示すように、本サービスを利用する関係者は、複数の救助対象者１００ａ、１００ｂ、１００ｃ、・・・、及びレスキュー隊２００である。救助対象者１００ａ、１００ｂ、１００ｃ、・・・は、災害等が起こった場合に救助されることを要する対象となり得る人物であり、それぞれ救助対象者端末１０ａ、１０ｂ、１０ｃ、・・・を所持する。なお、以降において、複数の救助対象者１００ａ、１００ｂ、１００ｃ、・・・のうち任意の救助対象者を「救助対象者１００」といい、複数の救助対象者端末１０ａ、１０ｂ、１０ｃ、・・・のうち任意の救助対象者端末を「救助対象者端末１０」という。レスキュー隊２００は、災害等が起こった場合に救助対象者１００を救助しようとする人物であり、レスキュー端末２０を所持する。
【００１６】
複数の救助対象者端末１０は、それぞれの救助対象者１００に係る情報をレスキュー端末２０に送信する。レスキュー端末２０はそれらの情報に基づいて、各救助対象者端末１０から受信した救助対象者１００に係る情報を提示する。
【００１７】
＜＜救助計画提示システムの機能構成＞＞
次に、図２を参照して本実施形態の救助計画提示システム１の機能構成について説明する。
【００１８】
救助計画提示システム１は、救助対象者情報に基づいて複数の救助対象者１００を救助する優先順を決定する。図２に示すように、救助計画提示システム１は、複数の救助対象者端末１０ａ、１０ｂ・・・、及びレスキュー端末２０を備える。また、救助対象者端末１０及びレスキュー端末２０は、無線通信ネットワークを介して各種情報を互いに送受信する。
【００１９】
＜救助対象者端末の機能構成＞
救助対象者端末１０は、救助対象者１００の危険度ｆDを表す危険度情報、及び救助対象者１００の位置を表す位置情報をレスキュー端末２０に送信する。危険度ｆDとは、救助対象者１００の身体が危険な状態にある度合いを示す指標である。
【００２０】
図２に示すように、救助対象者端末１０は、温度センサ１１、心電センサ１２、センサ値取得部１３、危険度算出部１４、位置情報センサ１５、位置情報取得部１６、データ蓄積部１７、及び救助対象者情報送受信部１８を備える。
【００２１】
温度センサ１１は、救助対象者１００の体温を計測する。一例として、温度センサ１１は、生体情報の連続計測を可能とする機能素材ｈｉｔｏｅ（登録商標）を用いた衣服によって実現することができる。
【００２２】
心電センサ１２は、救助対象者１００の心電波形を計測する。一例として、心電センサ１２は、温度センサ１１と同様に、ｈｉｔｏｅ（登録商標）を用いた衣服によって実現することができる。
【００２３】
センサ値取得部１３は、温度センサ１１によって計測された救助対象者１００の体温を表す体温情報、及び心電センサ１２によって計測された救助対象者１００の心電波形を表す心電波形情報を含む生体情報を取得するデバイスである。
【００２４】
危険度算出部１４は、センサ値取得部１３によって取得された生体情報に基づいて、救助対象者１００の危険度ｆDを算出する。
【００２５】
具体的には、危険度算出部１４は、センサ値取得部１３によって取得された心電波形情報が表す心電波形の心拍間隔から低周波成分ＬＦと高周波成分ＨＦとを算出し、それらの比ＬＦ／ＨＦをストレス度合いとして算出する。また、危険度算出部１４は、センサ値取得部１３によって取得された生体情報に含まれる体温情報が表す救助対象者１００の体温Ｔｐと、救助対象者端末１０に予め記憶されている救助対象者１００の平均体温Ｔａとの差分である体温差分｜Ｔｐ−Ｔａ｜を算出する。また、危険度算出部１４は、ストレス度合いＬＦ／ＨＦに体温差分｜Ｔｐ−Ｔａ｜を乗じた値を危険度として式（１）に記載のように算出する。ここで、救助対象者１００の平均体温Ｔａは、例えば直近３カ月間において定期的に計測された体温の平均値である。
【００２６】
【数１】
2018129075.tif 000003
【００２７】
また、危険度算出部１４は、ストレス度合いＬＦ／ＨＦの時間変化｜ΔＬＦ／ＨＦ｜と、現状体温Ｔｐの時間変化｜ΔＴｐ｜と、に基づいて、危険度ｆDを式（２）に記載のように算出してもよい。
【００２８】
【数２】
2018129075.tif 000004
【００２９】
位置情報センサ１５は、Ｗｉｆｉ（登録商標）等の無線通信ネットワークを介して接続するＧＰＳ（Global Positioning System）を用いて救助対象者１００の位置情報を取得する。一例として、位置情報センサ１５は、温度センサ１１及び心電センサ１２と同様に、ｈｉｔｏｅ（登録商標）を用いた衣服に埋め込まれている。また、他の例として、位置情報センサ１５は、救助対象者１００が所持するスマートフォンによって実現される機能であってもよい。
【００３０】
位置情報取得部１６は、位置情報センサ１５によって取得された救助対象者１００の位置情報を取得する。
【００３１】
データ蓄積部１７は、危険度算出部１４によって算出された救助対象者１００の危険度ｆDを表す危険度情報と、その危険度情報に係る生体情報が取得された時刻とを関連付けて蓄積する。また、データ蓄積部１７は、救助対象者１００の位置情報と、その位置情報が取得された時刻を表す時刻情報を関連付けて蓄積する。
【００３２】
救助対象者情報送受信部１８は、レスキュー端末２０が、位置情報及び危険度情報を含む救助対象者情報をレスキュー端末２０から受信する。また、救助対象者情報送受信部１８は、救助対象者１００の危険度情報と、その救助対象者１００の位置情報と、を含む救助対象者情報を、無線通信ネットワークを介してレスキュー端末２０へ送信する。
【００３３】
危険度算出部１４、位置情報取得部１６、データ蓄積部１７、及び救助対象者情報送受信部１８は、例えば、スマートフォンによって実現される機能とすることができる。この場合、センサ値取得部１３を実現するデバイスとスマートフォンとをＢｌｕｅｔｏｏｔｈ（登録商標）が互いにペアリングされる。これによって危険度算出部１４は、センサ値取得部１３から温度情報及び心電波形情報を取得し、取得した温度情報及び心電波形情報に基づいて上記の処理を行うことができる。
【００３４】
＜レスキュー端末の機能構成＞
レスキュー端末２０は、救助対象者端末１０から受信した危険度情報及び位置情報を提示する。レスキュー端末２０は、救助対象者情報要求部２１、救助優先順決定部２２、及び情報提示部２３を備える。
【００３５】
救助対象者情報要求部２１は、レスキュー隊員等の操作者による操作に基づいて、複数の救助対象者端末１０に救助対象者情報を要求する。また、救助対象者情報要求部２１は、要求に基づいて救助対象者端末１０が送信した救助対象者情報を受信する。
【００３６】
救助優先順決定部２２は、要求に応じて複数の救助対象端末からそれぞれ送信された最新の救助対象者情報に含まれる危険度情報に基づいて、複数の救助対象者のうち各救助対象者を救助する優先順を決定する。具体的には、救助優先順決定部２２は、危険度情報によって表される危険度ｆDが大きい救助対象者１００から順に救助の優先順を高くするよう優先順を決定する。また、救助優先順決定部２２は、位置情報が表す救助対象者端末１０の位置とレスキュー端末２０の位置との距離、及び危険度ｆDに基づいて優先順を決定してもよい。
【００３７】
情報提示部２３は、レスキュー端末２０の位置を含む地図に、位置情報として、レスキュー端末２０の位置に対する救助対象端末１０の相対的な位置を提示する。また、情報提示部２３は、救助対象端末１０の相対的な位置に関連付けて、その救助対象端末１０の危険度情報及び優先順を表す優先順情報を提示する。
【００３８】
具体的には、情報提示部２３は、図３に示すように、救助対象者情報要求部２１によって受信した救助対象者情報に含まれる位置情報として、各救助対象者端末１０ａ，１０ｂ，１０ｃの、レスキュー端末の位置Ｏに対する相対的な位置Ｐａ，Ｐｂ，Ｐｃをレスキュー端末の位置Ｏを含む地図に提示する。また、情報提示部２３は、相対的な位置Ｐａ，Ｐｂ，Ｐｃに対応して、各救助対象者端末１０ａ，１０ｂ，１０ｃの危険度情報及び優先順情報を提示する。図３に示す例においては、例えば、レスキュー端末２０の画面には、レスキュー端末２０の位置Ｏからの救助対象者端末１０ａの相対的な位置が位置Ｐａとして示され、救助対象端末１０ａの危険度は「７０」であり、優先順は「１」であることが示されている。
【００３９】
＜＜救助計画提示システムの動作＞＞
＜レスキュー端末の動作＞
図４を参照して、本実施形態に係る救助計画提示システム１のレスキュー端末２０の動作を説明する。
【００４０】
図４に示すように、まず、レスキュー端末２０の救助対象者情報要求部２１は、複数の救助対象者端末１０に救助対象者情報を要求する（ステップＳ３１）。そして、救助対象者情報要求部２１は、その要求に基づいて複数の救助対象者端末１０からそれぞれ送信された救助対象者情報を受信する（ステップＳ３２）。
【００４１】
ステップ３２で、救助対象者情報を受信すると、救助優先順決定部２２は、受信した複数の救助対象者情報に含まれる位置情報及び危険度情報に基づいて救助の優先順を決定する（ステップＳ３３）。続いて、情報提示部２３は、位置情報、危険度情報、及び優先度情報を提示する（ステップＳ３４）。
【００４２】
＜救助対象者端末の動作＞
続いて、図５を参照して、本実施形態に係る救助計画提示システム１の救助対象者端末１０の動作を説明する。
【００４３】
救助対象者端末１０の救助対象者情報送受信部１８がレスキュー端末２０から位置・情報要求情報を受信する（ステップＳ４１のＹｅｓ）と、救助対象者情報送受信部は、データ蓄積部１７に蓄積されている位置情報及び危険度情報のうち、最新の時刻に関連付けられて記憶されている位置情報及び危険度情報を取得する（ステップＳ５１）。そして、救助対象者情報送受信部１８は、データ蓄積部１７から取得した位置情報及び危険度情報を含む救助対象者情報をレスキュー端末２０に送信する（ステップＳ５２）。
【００４４】
救助対象者端末１０がレスキュー端末２０から位置・情報要求情報を受信していない（ステップＳ４１のＮｏ）場合、センサ値取得部１３は、温度センサ１１によって計測された温度を表す温度情報、及び心電センサ１２によって計測された心電波形を表す心電波形情報を取得する（ステップＳ６１）。ステップＳ６１で、センサ値取得部１３によって温度情報及び心電波形情報が取得されると、危険度算出部１４は、温度情報及び心電波形情報に基づいて危険度ｆDを算出する（ステップＳ６２）。ステップＳ６２で危険度算出部１４によって危険度ｆDが算出されると、データ蓄積部１７は算出された危険度ｆDを表す危険度情報を、その危険度情報に係る生体情報が取得された時刻とともに蓄積する（ステップＳ６３）。
【００４５】
また、救助対象者端末１０の救助対象者情報送受信部１８がレスキュー端末２０から位置・情報要求情報を受信していない（ステップＳ４１のＮｏ）場合、位置情報取得部１６は、無線通信ネットワークを介してＧＰＳを利用して救助対象者端末１０の位置を表す位置情報を取得する（ステップＳ６４）。ステップＳ６４で、位置情報取得部１６によって位置情報が取得されると、データ蓄積部１７は取得された位置情報を、位置情報が取得された時刻とともに蓄積する（ステップＳ６５）。
【００４６】
なお、ステップＳ６１乃至６３の処理とステップＳ６４及び６５の処理とは、ほぼ同時に行われる。または、ステップＳ６１〜６３の処理と、ステップＳ６４及び６５の処理とは、いずれが先に行われてもよいが、これらの処理においてデータ蓄積部１７が蓄積する危険度情報は、救助対象者端末１０が位置情報によって表される位置に存在するときのものであるように、所定の時間内に危険度情報及び位置情報が取得されるようにする。
【００４７】
また、救助対象者端末１０は、レスキュー端末２０から救助対象者情報を要求されるたびにステップＳ５１及び５２の処理を繰り返す。また、救助対象者端末１０は、危険度情報及び位置情報を記憶すると、救助対象者情報を要求されない場合において、所定の時間間隔で又は所定の契機に基づいてステップＳ６１〜６４の処理を繰り返す。
【００４８】
以上のように、本実施形態に記載された救助者対象端末１０によって、救助対象者１００の危険度情報と位置情報とをレスキュー端末２０に送信するため、レスキュー端末２０は複数の救助対象端末１０からこれらの情報を受信し、レスキュー端末２０の使用者であるレスキュー隊員等に提示することができる。そのため、これらの情報を参照したレスキュー隊員等は、救助が必要とされる複数の救助対象者１００に対して短時間で救助の優先順を決定することが可能となる。
【００４９】
また、本実施形態に記載されたレスキュー端末２０によって、複数の救助対象者１００の危険度情報と位置情報とをレスキュー隊員等に提示することができる。そのため、これらの情報を参照したレスキュー隊員等は、救助が必要とされる複数の救助対象者１００に対して短時間で救助の優先順を決定することが可能となる。
【００５０】
また、本実施形態では、レスキュー端末２０の情報提示部２３は、救助優先順決定部２２によって決定された優先順を提示する。そのため、レスキュー端末２０を参照したレスキュー隊員等は、優先順の高い救助対象者１００のいる位置を迅速に知り、その位置にすぐに向かうことができる。
【００５１】
また、本実施形態では、データ蓄積部１７は、危険度情報と位置情報とを危険度情報に係る生体情報及び位置情報が取得された時刻に関連付けて蓄積するが、危険度情報と位置情報とを位置情報が取得された順番に関連付けて蓄積してもよい。また、データ蓄積部１７は、最新の危険度情報及び位置情報のみを蓄積してもよい。その場合、データ蓄積部１７は、時刻及び順番を蓄積しなくてもよい。
【００５２】
また、本実施形態では、救助計画提示システム１の各機能は、これらの機能を実現する処理内容を記述したプログラム（救助計画提示用プログラム）をコンピュータの記憶部に記憶しておき、当該コンピュータのＣＰＵによってこのプログラムを読み出して実行することで実現してもよい。
【００５３】
上述の実施形態は代表的な例として説明したが、本発明の趣旨及び範囲内で、多くの変更及び置換ができることは当業者に明らかである。したがって、本発明は、上述の実施形態によって制限するものと解するべきではなく、特許請求の範囲から逸脱することなく、種々の変形や変更が可能である。例えば、実施形態に記載の複数の構成ブロックを１つに組み合わせたり、あるいは１つの構成ブロックを分割したりすることが可能である。
【符号の説明】
【００５４】
１    救助計画提示システム
１０  救助対象者端末
１１  温度センサ
１２  心電センサ
１３  センサ値取得部
１４  危険度算出部
１５  位置情報センサ
１６  位置情報取得部
１７  データ蓄積部
１８  救助対象者情報送受信部
２０  レスキュー端末
２１  救助対象者情報要求部
２２  救助優先順決定部
２３  情報提示部
【図１】
2018129075.tif 000005
【図２】
2018129075.tif 000006
【図３】
2018129075.tif 000007
【図４】
2018129075.tif 000008
【図５】
2018129075.tif 000009